(57)【要約】【課題】異形管を合成樹脂性のブラシ保持器に圧入固定する際の荷重のばらつきや、カシメ固定の不備によるガタの発生、カシメ、別部品固定による異形管内部の変形によるカーボンブラシの摺動不良の発生による信頼性の問題を解決できうる整流子電動機のブラシ保持器組立体を提供する。【解決手段】板厚ｔの鋼板よりなる異形管と、異形管を圧入、保持固定する異形管保持器部の内周面に対面する側面部にそれぞれ２本の凸部を有し、前記凸部の位置を異形管保持器側面部の四隅から異形管の板厚ｔの３．２〜４．８倍の範囲の位置に設けるようにした。【選択図】図２
2016136792.tif 000002
【特許請求の範囲】
【請求項１】
内部にカーボンブラシを内包する一対の板厚ｔの鋼板よりなる異形管と、前記異形管を圧入、保持固定する異形管保持器部を有した合成樹脂よりなるブラケットと、前記カーボンブラシを中心部に押接するためのトーションブラシバネより構成されたブラシ保持器組立体であって、前記異形管と前記異形管保持器部の側面に前記トーションブラシバネが摺動するブラシバネスリット部と、前記異形管保持器部の内周面の前記ブラシバネスリット部と対面する側面部にそれぞれ２本の凸部を有し、前記凸部を前記異形管保持器の内周側面部の四隅から前記異形管の板厚ｔの３．２〜４．８倍の範囲の位置に設けたことを特徴とするブラシ保持器組立体。
【請求項２】
前記ブラシバネスリット部と対面する前記異形管の側面で、かつ前記２本の凸部の間に抜け止めタブを設け、前記抜け止めタブに相対するタブスリット溝を前記異形管保持器部に設け、前記異形管の挿入後に前記抜け止めタブを折り曲げるたことを特徴とするブラシ保持器組立体。
【請求項３】
請求項１または２に記載のブラシ保持器組立体を備えた整流子電動機。
【発明の詳細な説明】
【技術分野】
【０００１】
本発明は、主に家庭用掃除機などのカーボンブラシを使用した整流子電動機のブラシ保持器組立体に関する。
【背景技術】
【０００２】
近年、掃除機などの白物家電においても生産拠点のグローバルが進み、モータにおいても安価で、信頼性の高い整流子電動機が求められている。
【０００３】
このため、従来は鋼板製ブラケットを合成樹脂製に変更することにより、ブラシ保持器を一体化することによりブラシ保持器などの部品点数を削減した電動送風機が発明されていた（例えば特許文献１参照）。
【先行技術文献】
【特許文献】
【０００４】
【特許文献１】特開２００９−２６１０５７号公報
【発明の概要】
【発明が解決しようとする課題】
【０００５】
しかしながら、従来の構成においては、異形管を合成樹脂性のブラシ保持器に圧入固定する構成が一般的であり、圧入時の保持器の割れ、クラックの発生を防止するため、異形管をブラシ保持器に軽荷重挿入とし、挿入後に異形管をカシメ固定する構成であったため、カシメの程度により異形管と保持器の間でガタが発生し、ブラシ寿命が低下するなどの課題があった。
【０００６】
さらに、ガタ防止を図るために過度にカシメたり、あるいは別部品で固定するなどの対応を実施した整流子電動機もあるが、カシメ・別部品固定による異形管内部の変形によるカーボンブラシの摺動不良の発生、作業性の低下などの課題を抱えていた。
【課題を解決するための手段】
【０００７】
上記課題を解決するために本発明のブラシ保持器組立体は、内部にカーボンブラシを内包する一対の板厚ｔの鋼板よりなる異形管と、前記異形管を圧入、保持固定する異形管保持器部を有した合成樹脂よりなるブラケットと、前記カーボンブラシを中心部に押接するための弾性体よりなるトーションブラシバネより構成され、異形管と異形管保持器部の側面にトーションブラシバネが摺動するブラシバネスリット部と、異形管を圧入する異形管保持器部の内周面にブラシバネスリット部を設けた側面部と対面する側面部にそれぞれ２本の凸部を有し、前記凸部の位置を異形管保持器内周側面部の四隅から異形管の板厚ｔの３．２〜４．８倍の範囲の位置に設けるようにしたものである。
【０００８】
更には、異形管と異形管保持器部の側面にトーションブラシバネが摺動するブラシバネスリット部と対面する異形管の側面に抜け止めタブを設け、前記異形管の抜け止めタブに相対するタブスリット溝を異形管保持器部に設け、異形管の圧入挿入後に抜け止めタブを折り曲げることにより抜け止め機構を構成する異形管抜け止めタブを異形管保持器内周側面部に設けた２本の凸部の間に設けるようにしたものである。
【０００９】
このような構成とすることにより、異形管と異形管保持部の圧入荷重を確保する為の寸法調整が容易となり、且つ安定した荷重を維持できるだけでなく、異形管を異形管保持器部に圧入挿入する際の異形管の変形も防止することができる。
【００１０】
また、抜け止め機構のための抜け止めタブを折り曲げた際に生じる異形管の変形が異形管外側方向への影響はあるものの、カーボンブラシの摺動に影響を及ぼす内側への寸法変化を抑制させることができるため、信頼性の高いブラシ保持器組立体を提供することができる。
【００１１】
更には、異形管を圧入のみにて保持固定ができるため、作業性の改善を図ることができ、安価で作業性の高いブラシ保持器組立体を提供することができる。
【発明の効果】
【００１２】
本発明によれば、異形管と異形管保持部の圧入荷重を確保する為の寸法調整が容易となり、且つ安定した荷重を維持できるだけでなく、異形管を異形管保持器部に圧入挿入する際の異形管の変形も防止することができる。
【図面の簡単な説明】
【００１３】
【図１】本発明の実施の形態におけるブラシ保持器組立体を備えた整流子電動機の一部断面の側面図
【図２】（ａ）本発明の実施の形態におけるブラシ保持器組立体の形状を示す外観図（ｂ）同ブラシ保持器組立体の異形管保持部と異形管の抜け止めタブ折曲げ後の形状を示す断面図
【図３】同ブラシ保持器組立体のブラケットＡの異形管保持器部と異形管の挿入状態の関係を示す外観図
【図４】（ａ）同ブラシ保持器組立体の異形管保持部の詳細を示す外観図（ｂ）同異形管保持部のブラシバネスリット部、タブスリットの形状を示す側面図
【図５】同ブラシ保持器組立体の異形管の詳細を示す外観図
【発明を実施するための形態】
【００１４】
以下、本発明の形態について、図面を参照しながら説明する。なお、本実施の形態によって本発明が限定されるものではない。
【００１５】
図１は本発明の実施の形態におけるブラシ保持器組立体を備えた整流子電動機１０の一部断面の側面図である。整流子電動機１０は、一方を開口した略カップ上の形状を成す鋼板製のブラケットＢ１２と、ブラケットＢ１２の開口部に配設した合成樹脂製のブラケットＡ１１の２つのブラケットを備えており、前記ブラケットＡ１１は複数の固定ネジによりブラケットＢ１２に締め付け固定されている。
【００１６】
ブラケットＢには内部に界磁１３を保持固定しており、前記界磁１３の中心部を貫通するように配置され、一対の軸受１５により回転自在に保持固定された整流子１６を有した電機子１４を有している。前記一対の軸受１５は、それぞれブラケットＡ１１とブラケットＢ１２にて保持されている。
【００１７】
ブラケットＡ１１は、カーボンブラシ２１を内包する板厚０．５ｍｍの鋼板より略長方形に形成された異形管２２を保持する一対の異形管保持器部２０を有しており、異形管２２とブラケットＡ１１の異形管保持器部２０の一側面には、それぞれブラケットＡ１１に保持されたトーションブラシバネ２３が摺動可能なブラシバネスリット部２０ａを設けており、前記カーボンブラシ２１は、トーションブラシバネ２３にて電機子１４の整流子１６に適切な荷重にて押接するように構成されたブラシ保持器組立体３０を有している。
【００１８】
ブラケットＡ１１の異形管保持器部２０の内周面には、ブラシバネスリット部２０ａを設けた側面と対面する側面部にそれぞれ２本の凸部２０ｂを有し、前記凸部２０ｂは異形
管保持器部２０内周側面の四隅からそれぞれ２ｍｍの位置（異形管２２板厚０．５ｍｍの４倍）に設けてあり、この２本の凸部２０ｂにより異形管２２を保持固定している。
【００１９】
更に、前記異形管２２には、トーションブラシバネ２３が摺動するブラシバネスリット部２０ａと対面する側面に異形管２２を切り起して形成された抜け止めタブ２２ａを有しており、ブラケットＡ１１の異形管保持器部２０に前記異形管２２の抜け止めタブ２２ａに相対する位置にタブスリット２０ｃが設けてあり、異形管２２を圧入挿入後に抜け止めタブ２２ａを折り曲げ、ブラケットＡ１１と勘合させることにより、異形管２２の抜け方向の抜け防止を図っている。
【００２０】
このように構成された整流子電動機１０のブラシ保持器組立体３０に対して、異形管２２を保持固定する箇所が異形管保持器部２０内周面に設けた２箇所の凸部２０ｂのみとしたことにより、凸部２０ｂの高さを調整することにより異形管２２との圧入荷重を容易に調整することができる。
【００２１】
加えて、２本の凸部２０ｂを異形管保持器部２０の内周四隅からそれぞれ２ｍｍの位置に設けてあるため、板厚０．５ｍｍの鋼板を折り曲げて形成された異形管２２の外径寸法の中で最も安定した箇所で保持固定できることになり、安定した圧入荷重を確保することができる。
【００２２】
２本の凸部２０ｂの位置を異形管保持器部２０の内周四隅からそれぞれ１．６ｍｍ（異形管２２の板厚の３．２倍）未満の位置に設けた場合は、異形管２２の当接位置が鋼板の折曲げのＲ形状部分にかかるため寸法が不安定となり、安定した圧入荷重が確保できなくなる。一方、２本の凸部２０ｂを異形管保持器部２０の内周四隅からそれぞれ２．４ｍｍ（異形管２２の板厚の４．８倍）以上の位置に設けた場合は、圧入荷重により異形管２２の内径側への変形を生じやすく、圧入荷重が低下するだけでなく、カーボンブラシ２１の摺動に影響を与えることになる。
【００２３】
また、異形管２２の抜け止めのために異形管２２の側面に設けた抜け止めタブ２２ａの位置を前記２箇所の凸部２０ｂの間に設けたことにより、異形管２２の抜け止めタブ２２ａを異形管２２圧入挿入後に折り曲げブラケットＡ１１に勘合させた際に、異形管２２に発生する異形管保持器部２０側への微小変形を凸部２０ｂと異形管２２の間に形成した空隙部で吸収することが出来るようになるため、異形管２２内径部への寸法変化を極力減少させることが出来る。よって、安定したカーボンブラシ２１の摺動を確保することができ、信頼性の高いブラシ保持器組立体３０を得ることができる。
【００２４】
このため、本発明のブラシ保持器組立体３０によれば、ブラケットＡ１１の異形管保持器部２０の異形管２２保持固定力を容易に調整・安定化させることができ、安価で信頼性の高いブラシ保持器組立体３０を得ることができる。
【００２５】
また、抜け止めタブ２２ａの折り曲げ時に発生する微小変形の異形管２２内径部への影響を極力減少させることができるため、安定したカーボンブラシ２１の摺動を確保でき、信頼性の高いブラシ保持器組立体３０を得ることができる。
【００２６】
更には、異形管２２を異形管保持器部２０に固定するためのカシメ工程や別部品による固定などの作業がなくなるため、安価で作業性の高いブラシ保持器組立体３０となる。
【００２７】
本発明では、異形管２２を保持固定する凸部２０ｂをトーションブラシバネ２３が摺動する一側面部と対面する側面部の左右面に設けているが、ブラシバネスリット部２０ａには関係ない上下を含めた４面全てに設けても問題はない。
【産業上の利用可能性】
【００２８】
本発明のブラシ保持器組立体は、鋼板よりなる異形管と異形管保持器部とブラケットを一体化した合成樹脂製のブラケットを利用した整流子電動機の信頼性・組立作業性の向上に最適であり、部品点数の少ない安価で高信頼性を必要とする用途に有用である。
【符号の説明】
【００２９】
１０  整流子電動機
１１  ブラケットＡ
１２  ブラケットＢ
１３  界磁
１４  電機子
１５  軸受
１６  整流子
２０  異形管保持器部
２０ａ  ブラシバネスリット部
２０ｂ  凸部
２０ｃ  タブスリット
２１  カーボンブラシ
２２  異形管
２２ａ  抜け止めタブ
２３  トーションブラシバネ
３０  ブラシ保持器組立体
【図１】
2016136792.tif 000003
【図２】
2016136792.tif 000004
【図３】
2016136792.tif 000005
【図４】
2016136792.tif 000006
【図５】
2016136792.tif 000007